【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
関連する複数の書類であって、当該書類における１以上の項目の情報が記載されている前記各書類の画像を取得する画像取得手段と、
前記各項目に対して前記情報が記載された記載領域を含む前記各書類の第１画像から、前記関連する複数の書類を特定するための第２画像を生成する画像生成手段と、
前記書類の照合を行う作業者に表示する画面または前記関連する複数の書類に付される添付書類に、前記第２画像を付加する画像付加手段と、
を備えたことを特徴とする管理装置。
【請求項２】
請求項１に記載の管理装置において、
前記第２画像を有し、前記関連する複数の書類に添付する添付書類を生成させる添付書類生成手段を更に備えたことを特徴とする管理装置。
【請求項３】
請求項１または請求項２に記載の管理装置において、
前記画像生成手段が、前記各書類の画像から、画像変換することにより、前記画像を生成することを特徴とする管理装置。
【請求項４】
請求項１から３のいずれか１項に記載の管理装置において、
前記画像取得手段が、前記各書類に応じた所定の形式に従って前記書類における項目の情報が記載されている前記各書類の画像を取得し、
前記各書類に応じた所定の形式に基づき、前記記載領域を、前記各書類の画像から抽出する記載領域抽出手段を更に備え、
前記画像生成手段が、前記記載領域の画像から、前記第２画像を生成することを特徴とする管理装置。
【請求項５】
請求項４に記載の管理装置において、
前記第２画像が、前記各書類の前記記載領域を合成させた合成画像であることを特徴とする管理装置。
【請求項６】
請求項５に記載の管理装置において、
前記画像生成手段が、前記第２画像に、所定の空隙率を有する重畳用画像を重ねた画像を生成することを特徴とする管理装置。
【請求項７】
画像取得手段が、関連する複数の書類であって、当該書類における１以上の項目の情報が記載されている前記各書類の画像を取得する画像取得ステップと、
画像生成手段が、前記各項目に対して前記情報が記載された記載領域を含む前記各書類の第１画像から、前記関連する複数の書類を特定するための第２画像を生成する画像生成ステップと、
画像付加手段が、前記書類の照合を行う作業者に表示する画面または前記関連する複数の書類に付される添付書類に、前記第２画像を付加する画像付加ステップと、
を含むことを特徴とする管理方法。
【請求項８】
コンピュータを、
関連する複数の書類であって、当該書類における１以上の項目の情報が記載されている前記各書類の画像を取得する画像取得手段、
前記各項目に対して前記情報が記載された記載領域を含む前記各書類の第１画像から、前記関連する複数の書類を特定するための第２画像を生成する画像生成手段、および、
前記書類の照合を行う作業者に表示する画面または前記関連する複数の書類に付される添付書類に、前記第２画像を付加する画像付加手段として機能させることを特徴とする管理装置用のプログラム。
【請求項９】
書類に関する書類情報を管理する管理装置と、書類の画像を撮像して画像データを取り込む画像入力装置と、を備えた管理システムにおいて、
前記管理装置が、
関連する複数の書類であって、当該書類における１以上の項目の情報が記載されている前記各書類の画像を、前記画像入力装置から取得する画像取得手段と、
前記各項目に対して前記情報が記載された記載領域を含む前記各書類の第１画像から、前記関連する複数の書類を特定するための第２画像を生成する画像生成手段と、
前記書類の照合を行う作業者に表示する画面または前記関連する複数の書類に付される添付書類に、前記第２画像を付加する画像付加手段と、
を備えたことを特徴とする管理システム。
【手続補正２】
【補正対象書類名】明細書
【補正対象項目名】０００６
【補正方法】変更
【補正の内容】
【０００６】
上記の課題を解決するために、請求項１に記載の発明は、関連する複数の書類であって、当該書類における１以上の項目の情報が記載されている前記各書類の画像を取得する画像取得手段と、前記各項目に対して前記情報が記載された記載領域を含む前記各書類の第１画像から、前記関連する複数の書類を特定するための第２画像を生成する画像生成手段と、前記書類の照合を行う作業者に表示する画面または前記関連する複数の書類に付される添付書類に、前記第２画像を付加する画像付加手段と、を備えたことを特徴とする。
【手続補正３】
【補正対象書類名】明細書
【補正対象項目名】０００７
【補正方法】変更
【補正の内容】
【０００７】
また、請求項２に記載の発明は、請求項１に記載の管理装置において、前記第２画像を有し、前記関連する複数の書類に添付する添付書類を生成させる添付書類生成手段を更に備えたことを特徴とする。
【手続補正４】
【補正対象書類名】明細書
【補正対象項目名】０００８
【補正方法】変更
【補正の内容】
【０００８】
また、請求項３に記載の発明は、請求項１または請求項２に記載の管理装置において、前記画像生成手段が、前記各書類の画像から、画像変換することにより、前記画像を生成することを特徴とする。
【手続補正５】
【補正対象書類名】明細書
【補正対象項目名】０００９
【補正方法】変更
【補正の内容】
【０００９】
また、請求項４に記載の発明は、請求項１から３のいずれか１項に記載の管理装置において、前記画像取得手段が、前記各書類に応じた所定の形式に従って前記書類における項目の情報が記載されている前記各書類の画像を取得し、前記各書類に応じた所定の形式に基づき、前記記載領域を、前記各書類の画像から抽出する記載領域抽出手段を更に備え、前記画像生成手段が、前記記載領域の画像から、前記第２画像を生成することを特徴とする。
【手続補正６】
【補正対象書類名】明細書
【補正対象項目名】００１０
【補正方法】変更
【補正の内容】
【００１０】
また、請求項５に記載の発明は、請求項４に記載の管理装置において、前記第２画像が、前記各書類の前記記載領域を合成させた合成画像であることを特徴とする。
【手続補正７】
【補正対象書類名】明細書
【補正対象項目名】００１１
【補正方法】変更
【補正の内容】
【００１１】
また、請求項６に記載の発明は、請求項５に記載の管理装置において、前記画像生成手段が、前記第２画像に、所定の空隙率を有する重畳用画像を重ねた画像を生成することを特徴とする。
【手続補正８】
【補正対象書類名】明細書
【補正対象項目名】００１２
【補正方法】変更
【補正の内容】
【００１２】
また、請求項７に記載の発明は、画像取得手段が、関連する複数の書類であって、当該書類における１以上の項目の情報が記載されている前記各書類の画像を取得する画像取得ステップと、画像生成手段が、前記各項目に対して前記情報が記載された記載領域を含む前記各書類の第１画像から、前記関連する複数の書類を特定するための第２画像を生成する画像生成ステップと、画像付加手段が、前記書類の照合を行う作業者に表示する画面または前記関連する複数の書類に付される添付書類に、前記第２画像を付加する画像付加ステップと、を含むことを特徴とする。
【手続補正９】
【補正対象書類名】明細書
【補正対象項目名】００１３
【補正方法】変更
【補正の内容】
【００１３】
また、請求項８に記載の発明は、コンピュータを、関連する複数の書類であって、当該書類における１以上の項目の情報が記載されている前記各書類の画像を取得する画像取得手段、前記各項目に対して前記情報が記載された記載領域を含む前記各書類の第１画像から、前記関連する複数の書類を特定するための第２画像を生成する画像生成手段、および、前記書類の照合を行う作業者に表示する画面または前記関連する複数の書類に付される添付書類に、前記第２画像を付加する画像付加手段として機能させることを特徴とする。請求項９に記載の発明は、書類に関する書類情報を管理する管理装置と、書類の画像を撮像して画像データを取り込む画像入力装置と、を備えた管理システムにおいて、前記管理装置が、関連する複数の書類であって、当該書類における１以上の項目の情報が記載されている前記各書類の画像を、前記画像入力装置から取得する画像取得手段と、前記各項目に対して前記情報が記載された記載領域を含む前記各書類の第１画像から、前記関連する複数の書類を特定するための第２画像を生成する画像生成手段と、前記書類の照合を行う作業者に表示する画面または前記関連する複数の書類に付される添付書類に、前記第２画像を付加する画像付加手段と、を備えたことを特徴とする。
【手続補正１０】
【補正対象書類名】明細書
【補正対象項目名】発明の名称
【補正方法】変更
【補正の内容】
【発明の名称】管理装置、管理方法、管理装置用のプログラム、および、管理システム